(57)【要約】本発明は、光記録媒体に目に見えるラベルを書き込む電力を較正する効果的な方法を提供する。書き込み電力が余りに低い場合、画像が消失している間でさえ、ラベルは低いコントラストを有する。書込みパワーが余りに高い場合、レイヤが落ち、ブリスター又はフレークが形成されることを意味する除去が行われる。本発明は、キャリブレーション方法を提供することで、この問題を解決する。このキャリブレーション方法では、異なる光ビームの電力で光記録媒体にテストパターンが記録され、記録されるパターンはリードバックされ、基準となる電力値は、予め決定された基準を使用してリードバックされたパターンから取得される。この取得される基準となる電力値は、光記録媒体のラベルサイドに目に見えるラベルを書き込むために必要とされる電力を較正するために使用される。
2008544432.tif 000002
【特許請求の範囲】
【請求項１】
光記録媒体のラベルサイドに目に見えるラベルを書き込むための電力を較正する方法であって、
当該方法は、
光ビームを使用して光記録媒体にパターンを記録するステップと、前記パターンは、異なる光ビームの電力で記録され、
前記光記録媒体に記録されたパターンを読み取るステップと、
予め決定された基準を使用して、読み取られたパターンから基準となる電力値を取得するステップと、
取得された基準となる電力値を使用して、前記光記録媒体のラベルサイドに目に見えるラベルを書き込むための電力を較正するステップと、
を含むことを特徴とする方法。
【請求項２】
前記光記録媒体は、相変化型光媒体である、
請求項１記載の方法。
【請求項３】
前記光記録媒体のデータサイドに前記パターンが記録される、
請求項２記載の方法。
【請求項４】
前記光記録媒体のラベルサイドに前記パターンが記録される、
請求項１又は２記載の方法。
【請求項５】
前記予め決定された基準は、記録されたパターンの変調の深さに基づく、
請求項３記載の方法。
【請求項６】
前記基準は、前記パターンを記録するために使用される光ビームの電力に関して、記録されるパターンの変調の深さにおける所定の変化に基づく、
請求項５記載の方法。
【請求項７】
前記基準は、書き込まれるパターンの変調の深さに等しい変調の深さに基づく、
請求項６記載の方法。
【請求項８】
前記予め決定された基準は、記録されるパターンの可視度を評価することに基づく、
請求項３又は４記載の方法。
【請求項９】
前記記録されるパターンの可視度は、閾値レベルに基づいて評価され、前記閾値レベルは、記録される特定のパターンが読み取られた信号で目に見えるようになる電力である、
請求項８記載の方法。
【請求項１０】
前記記録されるパターンの可視度は、書き込まれたパターンの手動による調査に基づいて評価される、
請求項８記載の方法。
【請求項１１】
前記記録されたパターンの可視度は、前記パターンの所定のグレイレベルが紙上の目標となるグレイレベルと比較されることに基づく、
請求項１０記載の方法。
【請求項１２】
前記取得された基準となる電力値は、前記光記録媒体に目に見えるラベルを書き込むための装置のＥＥＰＲＯＭ（Electrically  Erasable  Programmable  Read  Only  Memory）に記憶される、
請求項１記載の方法。
【請求項１３】
前記取得された基準となる電力値は、ネットワークを通してアクセスされるデータベースに記憶される、
請求項１記載の方法。
【請求項１４】
前記取得された基準となる電力値は、前記光記録媒体に目に見えるラベルを書き込むための装置のパワーメータに記憶される、
請求項１記載の方法。
【請求項１５】
請求項１記載の電力を較正する方法を使用した光記録媒体に目に見えるラベルを記録する方法であって、較正される電力は、前記光記録媒体に目に見えるラベルを記録するように、光ビームの強度を制御するために使用される、
ことを特徴とする方法。
【請求項１６】
光記録媒体に目に見えるラベルを書き込む装置であって、
当該装置は、
光記録媒体にパターンを記録する光源と、
記録されたパターンを読み取る読取りヘッドと、
予め決定された基準を使用して、読み取られたパターンを分析する分析手段と、
基準となる電力値を取得する手段と、
取得された基準となる電力値を記憶する記憶手段と、
前記光記録媒体に目に見えるラベルを記録するとき、前記基準となる電力値を使用して前記光源の強度を制御するパワーコントローラと、
を含むことを特徴とする装置。
【請求項１７】
当該装置は、ＥＥＰＲＯＭ（Electrically  Erasable  Programmable  Read  Only  Memory）を更に含む、
請求項１６記載の装置。
【請求項１８】
当該装置は、データベースを更に含む、
請求項１６記載の装置。
【請求項１９】
当該装置は、パワーメータを更に含む、
請求項１６記載の装置。
【発明の詳細な説明】
【技術分野】
【０００１】
本発明は、光記録媒体に目に見えるラベルを書き込む電力を較正する方法、光記録媒体に目に見えるラベルを記録する方法、及び、光記録媒体に目に見えるラベルを書込む装置に関する。
【背景技術】
【０００２】
ヒューレットパッカード（ＨＰ）社は、コンピュータのＣＤ又はＤＶＤドライブをLightScribeディスクとして知られる特別にコートされたディスクと組み合わせるLightScribe  Direct  Disc  Labeling技術を開示している。LightScribeディスクは、データサイドとラベルサイドを含む。データサイドは、データが書き込まれるサイドであり、ラベルサイドは、ラベルが記録される特別の材料でコートされるサイドである。ＨＰ社のLightScribe技術によりＣＤ及びＤＶＤのためのラベルの作成を可能にする。ＨＰ社のLightScribe技術によれば、ディスクはラベルである。LightScribe技術は、白黒写真に類似したグレイスケール画像を作成する。ある者は、彼のデータを消去し、ディスクを裏返し、彼自身の固有のラベルを消去することができる。たとえば、あなたが好みの曲からなる音楽ＣＤを作成し、ａ）曲のタイトル、ｂ）アーティストの名前、ｃ）個人の情報を含むラベルを作成したい場合、はじめに、ディスクのデータサイドにあるトラックを消去する必要がある。次いで、ラベルサイドにわたりディスクを裏返し、ドライブに戻す必要がある。ピクチャ、テキスト及び他のアートワークをインポートすることができるLightScribeがイネーブルにされたラベル作成用ソフトウェアを使用することで、ラベルを消去することができる。あたなが満足したとき、プリントをクリックし、選択されたラベルはディスクのラベルサイドでプリントされる。LightScribeがイネーブルにされたＣＤ／ＤＶＤディスクドライブは、ディスクのラベルサイドにコーティングに電圧を印加するために使用されるレーザを含む。レーザからの光は、ディスクの目に見えるポイントを現すダイコーティングにおける化学変化を生じさせる。レーザの精度により、LightScribeドライブは、ディスクがドライブでスピンするとき、密に制御された光エネルギーをディスク上の多数のポイントに伝達する。これにより、選択されているアートワーク、テキスト又はフォトが再生される。LightScribe  Direct  Disc  Labeling技術は、パーソナルコンピュータの外部のＵＳＢの光ＤＶＤライタで入手可能である。ＨＰ社のLightScribe技術での更なる情報は、http://www.LightScribe.com.で入手可能である。ＨＰ社のLightScribe  Direct  Disc  Labeling技術は、光ディスクに目に見えるラベルを作成する１例であることを述べることは重要である。目に見えるラベルが光ディスクで作成されるのを可能にする類似のラベリングシステムを利用することができる。ヤマハからの１つのかかるレベリングシステムに関する情報は、http://www.yamahamultimedia.com.で入手可能である。
【０００３】
ＥＰ０４７５５５８号は、光記録媒体のデータサイドの書込みのために光ビームの電力を較正するキャリブレーション手順を開示している。このキャリブレーション方法は、光のビームの記録強度を制御し、データを記録するために最大の振幅を有するリードバック信号に対応する光のビームの強度を使用する動作を含む。このキャリブレーション手順は、ラベルの書込みには適していない。それは、書き込まれるエリアから反射される信号がブランクエリアからの信号とは必ずしも異ならないためである。これは、従来の読取りを使用したコントラストの評価を禁止する。さらに、このキャリブレーション手順が実行された後、ラベルサイドのテストエリアで書き込まれたパターンが目に見えるようになり、これによってユーザのラベルの品質が低下する。
【発明の開示】
【発明が解決しようとする課題】
【０００４】
本発明の目的は、ラベルが記録されるのを可能にする特別の材料でコートされた光記録キャリアに目に見えるラベルを記録する光電力の較正の方法及び装置を提供することにある。
【課題を解決するための手段】
【０００５】
本発明の目的によれば、光記録媒体にラベルを記録するために使用される光電力の較正の方法は、光のビームを使用して光記録媒体に、光のビームの異なる電力で記録されるパターンを記録するステップ、光記録媒体に記録されたパターンを読み取るステップ、予め決定された基準を使用して読み取られたパターンから基準となる電力値を取得するステップ、取得された基準の電力値を使用して、光記録媒体のラベルサイドに目に見えるラベルを書き込むための電力を較正するステップを含む。
【０００６】
本発明の第一及び第二の実施の形態では、パターンが記録される光記録媒体は、相変化型の光記録媒体である。これは、光記録媒体の信号記録層における相変化を使用することでパターンが上書きされるという利点を有する。
【０００７】
本発明に係る方法の第一の実施の形態では、基準となる電力値を取得する予め決定された基準は、記録されたパターンの変調の深さに基づいている。さらに、取得された基準となる電力値は、パターンを記録するために使用される光のビームの電力に関する、記録されるパターンの変調の深さにおける所定の変化に基づいている。基準として変調の深さを使用することが本発明に係る方法にとって特に有効であるという理由は、相変化ディスクの変調の深さは、書き込まれたマークの幅に大まかに比例し、LightScribeディスクのコントラストがその幅に比例するためである。したがって、相変化ディスクの変調深さとLightScribeディスクのコントラストの間の直接的な関係が存在し、本発明で利用される。
【０００８】
本発明に係る方法の第二の実施の形態では、基準の電力値を取得するための予め決定された基準は、記録されるパターンの可視度を評価することに基づいている。この可視度は、閾値に基づいて評価されており、この閾値は、記録される特定のパターンが読み取られた信号で目に見えるようになる電力である。
【０００９】
これは、書き込み電力に関して読取り信号のアセスメントを取得するという利点を有する。これより、取得されるキー情報は、光記録媒体の書込み感度の測定値と書き込み電力マージンの推定値である、閾値の書込み電力、及び許容可能な書込みを行うことができるパワーレンジである。
【００１０】
本発明に係る方法の第三の実施の形態では、基準の電力値を取得する予め決定された基準は、書込みされたパターンの手動による視覚的な調査に基づいている。この手動による調査は、人間の視覚システムの近くで現れるラベルを取得することにおける人間の判断を利用する。さらに、パターンが書き込まれる光記録媒体は、光記録媒体のデータサイドでデータを記録する同じレコーダによりラベルを記録することができる特別の材料でコートされる媒体である。
【００１１】
本発明に係る方法の第四の実施の形態では、基準となる電力値を取得する予め決定された基準は、一枚の紙上の目標となるグレイレベルと比較されるパターンのグレイレベルの可視度を評価することに基づいている。このグレイレベルの比較は、グレイレベルのユーザの知覚を捕捉し、ユーザが必要とするものに近いラベルが取得される、という利点を有する。さらに、パターンが書き込まれる光記録媒体は、光記録媒体のデータサイドにデータを記録する同じレコーダによりラベルが記録される特別の材料でコートされる媒体である。
【００１２】
本発明に係る方法の第五の実施の形態では、取得される基準の電力値は、光記録媒体に目に見えるラベルを書き込むため、装置のＥＥＰＲＯＭ（Electrically  Erasable  Programmable  Read  Only  Memory）に記憶される。ＥＥＰＲＯＭは、不揮発性メモリであるので、電力を受けないときでさえデータを保持し、記憶される基準の電力値は、後続するラベリング動作のために再使用することができる。
【００１３】
本発明に係る方法の第六の実施の形態では、取得される基準の電力値は、ネットワークを通してアクセスすることができるデータベースに記憶される。データベースに記憶することは、ユーザが光記録媒体にラベルを記録するのを必要とするときは何時でも、取得される基準の電力値が多数のユーザ又は同じユーザにより利用されるという利点を有する。
【００１４】
本発明に係る方法の第七の実施の形態では、取得される基準の電力値は、パワーメータに記憶される。これは、光記録媒体を使用するのではなく、パワーメータを使用することで、後続のキャリブレーションを実行するという利点を有する。
【００１５】
第八の実施の形態では、本発明に係る装置を使用した光記録媒体に目に見えるラベルを記録する方法が説明される。
【００１６】
光記録媒体に目に見えるラベルを書き込む装置の第一の実施の形態では、当該装置は、光記録媒体にパターンを記録する光源、記録されるパターンを読み取る読取りヘッド、予め決定された基準を使用して読み取られたパターンを分析するアナライザ、基準の電力値を取得する手段、取得された基準の電力値を記憶する記憶手段、光記録媒体に目に見えるラベルを記録するとき、基準の電力値を使用して光源の強度を制御するパワーコントローラを有する。
【００１７】
本発明に係る装置の第二の実施の形態では、当該装置は、基準の電力値を記憶するＥＥＰＲＯＭを有する。  
本発明に係る装置の第三の実施の形態では、当該装置は、ネットワークを通してアクセスされた基準の電力値を記憶するデータベースを有する。  
本発明に係る装置の第四の実施の形態では、当該装置は、基準の電力値を記憶するパワーメータを有する。  
本発明のこれらの態様及び他の態様は、以下の説明に記載される実施の形態から、及び添付図面を参照して明らかになるであろう。
【発明を実施するための最良の形態】
【００１８】
図１は、データサイドとラベルサイドを有するディスク状の光記録媒体１１を示す。データサイド１０は、トラック１２を有し、このトラックで、情報を表す記録可能なマークが配列される。トラックは、同心状又は平行である。光記録媒体のフリップサイドは、ラベルサイド１３である。ラベルサイドは、光のビームを使用してラベルが書き込まれるのを可能にする特別の材料でコートされる。かかる光記録媒体の例は、ＣＤ−Ｒ、ＣＤ−ＲＷ、及び、ＤＶＤ＋ＲＷのようなＤＶＤの書込み可能なバージョンである。光のビームを使用してラベルを書き込むのを可能にする特別の材料でコートされた任意のタイプの光記録媒体を使用することができる。１つの係る例は、カード情報キャリアである。例示の目的で、ディスク上の光記録キャリアが使用されるが、他の形状の光記録媒体を使用することもできる。図１ａ，図１ｂ及び図１ｃは、光記録キャリアのラベルサイドで作成される目に見えるラベルの幾つかの例を示す。図１ａは、PHILIPSとして会社のロゴが記録されている光記録媒体１１のラベルサイド１３を示す。図１ｂは、テキスト及び画像の両者が記録されている目に見えるラベルを示す。このラベルは、“Collection  of  pictures-  The  Himalayas  visit”としてのテキストと、山、谷及び川の流れを示すヒマラヤのシーン画像とを有する。図１ｃは、ピーターの写真と合わせたテキストメッセージ“Happy  Birthday”による、光記録媒体のラベルサイドに記録されている目に見えるラベルを示す。
【００１９】
図２は、本発明に係る光記録媒体１１に目に見えるラベルを記録するために使用される装置２１０の第一の実施の形態を示す。装置２１０は、光記録媒体１１を回転する回転ユニットとして機能するスピンドルモータ２０１を有する。モータドライバ２１１及びサーボ処理ユニット２２２は、一定の線形の速度又は一定の角速度を提供するようにスピンドルモータ２０１を制御する。サーボ処理ユニット２２２は、スピンドルモータ２０１の回転を制御する。読取りヘッド２３０は、光記録媒体１１のトラック１２を読み取るために使用される。読取りヘッド２３０は、光源２４０を有する。光源２４０は、データを記録するために光ビーム２６０で光記録媒体１１を照射する。光源２４０は、波長７８０ｎｍ及び光電力３ｍＷを有する、たとえば赤外線レーザダイオードである場合がある。光ビームパワーコントローラ２５０は、光源２４０から生じている光ビーム２６０の電力強度を調節する。光ビーム２６０の電力の強度を制御するため、光ビームパワーコントローラ２５０は、記憶装置２４２に記憶される基準の電力値を使用し、光源２４０に供給される電流の値を変化する。光ビーム２６０は、光ビーム２６０を平行にするコリメータレンズ２７０のような光学素子を有する光学系、及び光記録媒体１１のトラック上の光スポット２９０に光ビームをフォーカスする対物レンズ２８０を通過する。読取りヘッド２３０は、光記録媒体１１に光ビーム２６０をフォーカスするアクチュエータ、並びに、トラックの中央の半径方向において光スポット２９０を粗く位置合わせし、細かく位置合わせするトラッキングアクチュエータ２９９及び位置合わせ手段２７５を更に有する。対物レンズ２８０の位置を変えることで、トラックは、光ビーム２６０により追従される。光記録媒体１１により反射された後、光ビーム２６０は、たとえば４象限検出器といった公知のタイプの検出器２９５により検出され、リード信号のような検出された信号が生成される。この目的のため、ビームスプリッティングキューブ２０５、偏向ビームスプリッティングキューブ又は薄膜が利用される。検出手段２９８は、検出器２９５からの検出された光ビームを変換し、リードバック信号を出力する。アナライザ２５２は、リードバック信号を分析し、基準の電力値を取得する。この基準となる電力値は、記憶装置２４２に記憶される。
【００２０】
本発明の第一及び第二の実施の形態では、テストパターンが記録される光記録媒体は、相変化型の光記録媒体である。結晶相とアモルファス相の間で変化可能な相転換材料を有する記録層は、相変化層として一般に知られている。光信号の記録動作は、このレイヤにおける記録材料が、光ビームの照射状態を変えることでアモルファス相と結晶相の間で可逆的に相において変化し、これにより相変化層に信号が記録されるようなやり方で実行される。記録された信号の再生動作は、相変化層のアモルファス相と結晶相との間の光学特性における違いを検出することで実行され、これにより記録された信号が生成される。かかる相変化層は、書き込み電力レベルと消去電力レベルの間の光ビームの電力を変調することで、情報が記録及び消去されるのを可能にする。
【００２１】
図３は、本発明に係る光記録媒体１１に光ビーム２６０を使用して目に見えるラベルを書き込むためのパワーキャリブレーション方法を示す簡略化されたフローチャートを示す。キャリブレーション方法は、ステップ３０１におけるテストパターンを選択するステップを含む。ステップ３０１で選択されたこのテストパターンは、ステップ３０２で、光ビーム２６０のパワーレベルＰで光記録媒体１１に書き込まれる。次のステップ３０３では、書き込まれたテストパターンは、図２に例示されるように読取りヘッド２３０を使用してリードバックされる。ステップ３０４では、リードバック信号は、予め決定された基準を使用して評価される。使用することができる様々な基準及びそれらのそれぞれの利点は、実施の形態で説明される。ステップ３０５で、予め決定された基準が満たされたかを確認するためにチェックが行われる。予め決定された基準が満たされない場合、ステップ３０６で、光ビーム２６０のパワーレベルは、光ビーム制御セクション２５０により量δｐだけ変化され、テストパターンが再び書き込まれ、リードバックされ、リードバック信号が評価される。ステップ３０２、３０３、３０４及び３０５は、予め決定された基準が満足されるまで繰り返される。ステップ３０７では、基準となる電力値が取得され、これは、予め決定された基準が満足されるパワーレベルである。ステップ３０８で、取得された基準となる電力値は、記憶装置２４２に記憶される。使用することができる各種の記憶のメカニズムであって、それらのうちのそれぞれ１つを使用する利点が実施の形態で記載される。ステップ３０９では、記憶装置２４２で記憶される基準となる電力値が使用され、光記録媒体１１にラベルを記録するために必要とされる光ビーム２６０の電力が較正される。
【００２２】
本発明に係る方法の第一の実施の形態では、基準となる電力値を取得するために使用される予め決定された基準は、記録されるテストパターンの変調深さに基づいている。図４は、光記録媒体１１のデータサイドにテストパターンを記録するために使用される光ビーム２６０のパワーレベルに関する、記録されるテストパターンの変調の深さの関係を表す。光ビーム２６０の光のパワーレベルは、水平軸に沿って、ポイントＰからＰ1に増加し、光ビーム２６０の様々なパワーレベルＰ，．．．Ｐ1での選択されたテストパターンが記録される。このパワーレベルの変動は、テストパターンを記録するため、光ビーム２６０の高い電力値Ｐ1からＰに減少する。垂直軸は、光ビーム２６０の特定のパワーレベルで書き込まれたパターンの変調の深さの示唆を与える。書き込まれたパターンの変調の深さＭは、図４ａに示されるように計算される。書き込まれたテストパターンは、リードバックされ、リードバック信号は、アナライザ２５２により分析される。アナライザ２５２は、書き込まれたパターンの変調の深さ、パターンを書込むために使用される光ビーム２６０の電力、及び書き込まれたパターンの可視レベルを分析する。変調の深さは、リードバック信号の可視レベル及び変調深さに対応する書込みパワーレベルと比較される。変調の深さと、リードバック信号の可視レベルに一致する対応する書込み電力からなるレンジ４０１が決定され、これは、基準となる電力値を与える。変調の深さ及び対応する光ビーム２６０の電力によってリードバック信号を目に見ることができるレンジ４０１に対応する光ビーム２６０の電力を使用することは、光記録媒体１１へのパターンの正確な記録を保証するために重要である。書き込まれたパターンの変調の深さによってリードバック信号の良好な可視レベルが得られる光ビーム２６０のパワーレベルは、この基準となる電力値を決定する。光ビーム２６０のこの基準となる電力値を使用してパターンが記録されるとき、良好に目に見ることができるラベルが得られる。
【００２３】
本発明に係る方法の第二の実施の形態では、基準となる電力値を取得するための予め決定された基準は、光記録媒体１１のデータサイドに書き込まれたテストパターンのリードバック信号の可視度を評価することに基づいている。図５は、テストパターンを読み取るために使用される光ビーム２６０のパワーレベルに関する、書き込まれたテストパターンのリードバック信号の可視度の関係を表す。光ビーム２６０の光パワーレベルは、水平軸に沿ってＰからＰ1に増加し、光ビーム２６０の様々なパワーレベルＰ，．．．Ｐ1で選択されたテストパターンが記録される。このパワーレベルの変動は、テストパターンを記録するために光ビーム２６０の高い電力値Ｐ1からＰに減少する。垂直軸は、光ビーム２６０の特定の光レベルでのリードバック信号で書き込まれるテストパターンの可視度の強度Ｖ，．．Ｖ1の示唆を与える。アナライザ２５２は、可視度を評価するためにリードバック信号を分析する。書き込まれたパターンのリードバック信号の可視度が、閾値５０１よりも大きい光ビーム２６０のパワーレンジ５０２は、基準となる電力値を決定する。閾値５０１は、書き込まれた特定のテストパターンがリードアウト信号において目に見えるようになるパワーレベルである。リードバック信号の良好な可視度が得られるリードバック信号に対応する光ビーム２６０の電力を使用することは、光記録媒体１１へのパターンの正確な記録を保証することが重要である。この光ビーム２６０の基準となる電力値を使用してパターンが記録されるとき、リードバック信号における良好な可視度が得られ、記録されるラベルは良好な品質となる。閾値の基準は、非常に正確な基準である。これは、スポットの形式に依存せず、相変化層の組成にのみ依存するため、関連される基準の電力を非常に高い精度で決定することができるからである。
【００２４】
本発明の第三及び第四の実施の形態では、テストパターンが書き込まれる光記録媒体は、LightScribeディスクである。LightScribeディスクは、ラベルサイドにラベルが記録される特別の材料でコートされている。さらに、ラベルが記録されるのを可能にする特別の材料でコートされる任意のディスクを使用することもできる。相変化タイプからなるLightScribeディスクであって、相変化を使用してパターンが書き込まれるデータサイドを有するLightScribeディスクを使用することも可能である。
【００２５】
本発明に係る方法の第三の実施の形態では、基準となる電力値を取得する予め決定された基準は、書き込まれたテストパターンの手動により調査に基づいている。図６は、テストパターンを記録するために使用される光ビーム２６０のパワーレベルに関する、人間の目で見たときのLightScribeディスクのラベルサイドに書き込まれるテストパターンの可視度の関係を表す。光ビーム２６０の光パワーレベルは、水平軸に沿ってポイントＰからＰ1に増加し、光ビーム２６０の様々なパワーレベルＰ，．．．Ｐ1で選択されたテストパターンが記録される。このパワーレベルの変動は、テストパターンを記録するために光ビーム２６０の高い電力値Ｐ1からＰに減少する。垂直軸は、人間の目で見たとき、書き込まれたテストパターンの可視レベルＶ，．．Ｖ1の示唆を与える。パワーレベルＰで書き込まれたテストパターンは、リードバックされ、表示ユニット７２で表示される。表示されたテストパターンは、人間の目による可視度について評価される。表示されるテストパターンの可視度が良好であって、人間の目により許容されるレンジに対応する光ビーム２６０のパワーレンジ６０１を使用することは、光記録媒体１１へのパターンの正確な記録を保証するために重要である。表示ユニット７２で見たとき、書き込まれるテストパターンが目に見えるものであって、人間に目にとって許容可能である光ビーム２６０のパワーレベルは、基準となる電力値を決定する。この基準となる電力値は、光記録媒体１１へのパターンの正確な記録を保証する光ビーム２６０の記録光パワーレベルを提供する。すなわち、人間の目で見たとき、書き込まれたテストパターンの可視度のレベルは、光記録媒体１１にパターンを記録するために光ビーム２６０により必要とされる電力の関数である。この光ビーム２６０の基準の電力値を使用してパターンが記録されるとき、良好な目に見えるラベルとなる。
【００２６】
本発明に係る方法の第四の実施の形態では、基準となる電力値を取得する予め決定された基準は、LightScribeディスクのラベルサイドに書き込まれたテストパターンのグレイレベルの手動による調査に基づく。ワイドレンジのグレイレベルを有する画像は、高いコントラストを有する。コントラストの定性的な測度は、画像のグレイレベルの標準偏差である。ここで、光記録キャリア１１に書き込まれるテストパターンの手動による調査は、光記録媒体１１に書き込まれるテストパターンのグレイレベルを一枚の紙上で利用可能な目標となるグレイレベルの値と比較することで実行される。図７は、テストパターンを記録するために使用される光ビーム２６０の電力に関する、書き込まれるテストパターンのグレイレベルの可視度の関係を表す。光ビーム２６０の光パワーレベルは、水平軸に沿ってポイントＰからＰ1に増加し、光ビーム２６０の様々な電力レベルＰ，．．Ｐ1で選択されたテストパターンが記録される。このパワーレベルの変動は、テストパターンを記録するために光ビーム２６０の高い電力値Ｐ1からＰに減少する。垂直軸は、光ビーム２６０の特定のパワーレベルで書き込まれたテストパターンのグレイレベルの可視度Ｖ，．．Ｖ1の示唆を与える。パワーレベルＰで書き込まれたテストパターンは、リードバックされ、表示装置７２で表示される。この表示装置７２で表示されたテストパターンは、人間の目によりグレイレベルについて評価される。人間の目は、表示装置７２で表示される書き込まれたテストパターンのグレイレベルを見て、一枚の紙７４で利用可能なテストパターンのグレイレベルとそれを比較する。人間の目は、表示装置７２で表示されるグレイレベルが一枚の紙７４上のグレイレベルと同じであるかをチェックする。一枚の紙上のグレイレベルと比較したときに、表示されるパターンのグレイレベルの接近した一致を与えるパワーレンジ７０１は、テストパターンを記録するために使用される光ビーム２６０の基準となる電力値を決定する。書き込まれたパターンのグレイレベルが一枚の紙７４のグレイレベルと比較して一致するポイントに対応する光ビーム２６０の電力を使用することは、光記録媒体１１へのパターンの正確な記録を保証するために重要である。書き込まれたテストパターンのグレイレベルの可視度が一枚の紙７４のグレイレベルと整合する光ビーム２６０のパワーレベルは、この基準となる電力値を決定する。
【００２７】
更なる実施の形態では、基準の電力値を記憶するために使用される様々な記憶メカニズム及び目に見えるラベルを記録するために使用される装置の実施の形態が記載される。
【００２８】
本発明の方法の第一の実施の形態及び図８に示される装置の第二の実施の形態では、先の実施の形態で記載されるような予め決定された基準を使用して取得された基準の電力値を記憶するために使用される記憶装置は、光記録媒体１１との間の読取り及び書込みのために使用される装置２１０のＥＥＰＲＯＭ（Electrically  Erasable  Programmable  Read  Only  Memory）２４３である。光ビームパワーコントローラ２５０は、ラベルを書き込むために光源２４０により発生される光ビーム２６０の強度を制御するためにＥＥＰＲＯＭに記憶される基準となる電力値を利用する。さらに、ＥＥＰＲＯＭは不揮発性メモリであるので、基準となる電力値は、光記録媒体との間の読取り及び／又は書込みのための装置がスイッチオフにされるときでさえ保持され、したがって、後続するラベリング動作のために使用することができる。
【００２９】
本発明の方法の第六の実施の形態、及び図９に示される装置の第三の実施の形態では、先の実施の形態で記載されたような予め決定された基準を使用して得られた基準となる電力値を記憶するために使用される記憶装置は、データベース２４４である。光記録媒体１１の間で読取り及び書込みのために使用される装置２１０は、このデータベース２４４にネットワーク又はインターネット２５２を通して接続される。装置２１０は、ネットワーク２５２を通してデータベース２４４と通信し、データベース２４４から基準となる電力値を取得する。データベース２４４から取得されたこの基準となる電力値は、ラベルを書き込むために光ビーム２６０の強度を制御するため、光ビームパワーコントローラ２５０により使用される。このデータベースは、多数のユーザ又は同じユーザによりアクセスされ、基準となる電力値は、目に見えるラベルの記録のために使用される。
【００３０】
本発明の方法の第七の実施の形態、及び図１０で示される装置の第四の実施の形態では、先の実施の形態で記載されたような予め決定された基準を使用した基準となる電力値を記憶するために使用される記憶装置は、パワーメータ２６２である。光記録媒体１１の間の読取り及び書込みのために使用される装置２１０は、ネットワーク又はインターネット２５２を通してパワーメータ２６２に接続される。装置２１０は、ネットワーク２５２を通してパワーメータ２６２と通信し、パワーメータ２６２から基準となる電力値を取得する。このパワーメータ２６２から取得された基準となる電力値は、光ビームパワーコントローラにより使用され、ラベルを書き込むために光ビーム２６０の強度が制御される。代替的に、パワーメータ２６２は、ネットワーク２５２を通して接続される代わりに、光記録媒体１１の間でラベルの読取り及び書込みのために使用される装置２１０内に収容される。基準となる電力はパワーメータに記憶されるので、後続するキャリブレーションは、光記録媒体を使用するよりはむしろ、パワーメータを使用することで実行される。
【００３１】
さらに、装置２１０の光ビームパワーコントローラは、２５０は、記憶装置に記憶される較正された電力値を使用して、光記録媒体にラベルを記録するために光ビーム２６０の強度を制御する。記憶されている較正された基準となる電力値は、良好なラベルが得られるように、許容される書込みが実行されるパワーレンジを与える。
【００３２】
上述された出願では、本発明はその特定の実施の形態を参照して記載された。しかし、特許請求の範囲で述べるように本発明の広い精神及び範囲から逸脱することなしに様々な変更及び変形が行われることは明らかである。図面はこれに応じて、限定的な意味で使用されるよりは例示的な意味で考えられる。
【図面の簡単な説明】
【００３３】
【図１】光のビームを使用して目に見えるラベルを書き込むことができる光記録媒体を示す図である。
【図２】本発明に係る光記録媒体に目に見えるラベルを記録するために使用される装置の第一の実施の形態を示す図である。
【図３】本発明に係る光のビームを使用して目に見えるラベルを書き込むためのパワーキャリブレーション方法を示す簡略されたフローチャートである。
【図４】図４及び図４ａは、本発明に係る方法の第一の実施の形態を示し、基準となる電力値を取得する予め決定された基準は、記録されるパターンの変調の深さに基づいている。
【図５】本発明に係る方法の第二の実施の形態を示し、基準となる電力値を取得する予め決定された基準は、記録されるパターンの読取り信号の可視度を評価することに基づいている。
【図６】本発明に係る方法の第三の実施の形態を示し、基準となる電力値を取得する予め決定された基準は、記録されるパターンの手動的な視覚による調査に基づいている。
【図７】本発明に係る方法の第四の実施の形態を示し、基準となる電力値を取得する予め決定された基準は、一枚の紙上の目標となるグレイレベルに比較されるパターンのグレイレベルの可視度の評価に基づいている。
【図８】本発明に係る方法の第五の実施の形態及び装置の第二の実施の形態を示し、取得された基準の電力値は、光記録媒体に目に見えるラベルを書き込むために装置のＥＥＰＲＯＭに記憶される。
【図９】本発明に係る方法の第六の実施の形態及び装置の第三の実施の形態を示し、取得された基準となる電力値は、ネットワークを通してアクセスされるデータベースに記憶される。
【図１０】本発明に係る方法の第七の実施の形態及び装置の第四の実施の形態を示し、取得された基準の電力値は、パワーメータに記憶される。
【図１】
2008544432.tif 000003
【図１ａ】
2008544432.tif 000004
【図１ｂ】
2008544432.tif 000005
【図１ｃ】
2008544432.tif 000006
【図２】
2008544432.tif 000007
【図３】
2008544432.tif 000008
【図４】
2008544432.tif 000009
【図５】
2008544432.tif 000010
【図６】
2008544432.tif 000011
【図７】
2008544432.tif 000012
【図８】
2008544432.tif 000013
【図９】
2008544432.tif 000014
【図１０】
2008544432.tif 000015
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
光記録媒体のラベルサイドに目に見えるラベルを書き込むための電力を較正する方法であって、
当該方法は、
光ビームを使用して光記録媒体のデータサイドにパターンを記録するステップと、前記パターンは、異なる光ビームの電力で記録され、
前記光記録媒体のデータサイドに記録されたパターンを読み取るステップと、
予め決定された基準を使用して、読み取られたパターンから基準となる電力値を取得するステップと、
取得された基準となる電力値を使用して、前記光記録媒体のラベルサイドに目に見えるラベルを書き込むための電力を較正するステップと、
を含むことを特徴とする方法。
【請求項２】
前記光記録媒体は、相変化型光記録媒体である、
請求項１記載の方法。
【請求項３】
前記予め決定された基準は、記録されたパターンの変調の深さに基づく、
請求項２記載の方法。
【請求項４】
前記予め決定された基準は、前記パターンを記録するために使用される光ビームの電力に関して、記録されるパターンの変調の深さにおける所定の変化に基づく、
請求項３記載の方法。
【請求項５】
前記予め決定された基準は、書き込まれるパターンの変調の深さに等しい変調の深さに基づく、
請求項４記載の方法。
【請求項６】
前記予め決定された基準は、記録されるパターンの可視度を評価することに基づく、
請求項２記載の方法。
【請求項７】
前記記録されるパターンの可視度は、閾値レベルに基づいて評価され、前記閾値レベルは、記録される特定のパターンが読み取られた信号で目に見えるようになる電力である、
請求項６記載の方法。
【請求項８】
前記取得された基準となる電力値は、前記光記録媒体に目に見えるラベルを書き込むための装置のＥＥＰＲＯＭ（Electrically  Erasable  Programmable  Read  Only  Memory）に記憶される、
請求項１記載の方法。
【請求項９】
前記取得された基準となる電力値は、ネットワークを通してアクセスされるデータベースに記憶される、
請求項１記載の方法。
【請求項１０】
前記取得された基準となる電力値は、前記光記録媒体に目に見えるラベルを書き込むための装置のパワーメータに記憶される、
請求項１記載の方法。
【請求項１１】
請求項１記載の電力を較正する方法を使用した光記録媒体に目に見えるラベルを記録する方法であって、較正される電力は、前記光記録媒体に目に見えるラベルを記録するように、光ビームの強度を制御するために使用される、
ことを特徴とする方法。
【請求項１２】
光記録媒体のラベルサイドに目に見えるラベルを書き込む装置であって、
当該装置は、
光記録媒体のデータサイドにパターンを記録する光源と、
記録されたパターンを読み取る読取りヘッドと、
予め決定された基準を使用して、読み取られたパターンを分析する分析手段と、
基準となる電力値を取得する手段と、
取得された基準となる電力値を記憶する記憶手段と、
前記光記録媒体のラベルサイドに目に見えるラベルを記録するとき、前記基準となる電力値を使用して前記光源の強度を制御するパワーコントローラと、
を含むことを特徴とする装置。
【請求項１３】
当該装置は、ＥＥＰＲＯＭ（Electrically  Erasable  Programmable  Read  Only  Memory）を更に含む、
請求項１２記載の装置。
【請求項１４】
当該装置は、データベースを更に含む、
請求項１２記載の装置。
【請求項１５】
当該装置は、パワーメータを更に含む、
請求項１２記載の装置。
【手続補正２】
【補正対象書類名】明細書
【補正対象項目名】全文
【補正方法】変更
【補正の内容】
【発明の詳細な説明】
【技術分野】
【０００１】
本発明は、光記録媒体に目に見えるラベルを書き込む電力を較正する方法、光記録媒体に目に見えるラベルを記録する方法、及び、光記録媒体に目に見えるラベルを書込む装置に関する。
【背景技術】
【０００２】
ヒューレットパッカード（ＨＰ）社は、コンピュータのＣＤ又はＤＶＤドライブをLightScribeディスクとして知られる特別にコートされたディスクと組み合わせるLightScribe  Direct  Disc  Labeling技術を開示している。LightScribeディスクは、データサイドとラベルサイドを含む。データサイドは、データが書き込まれるサイドであり、ラベルサイドは、ラベルが記録される特別の材料でコートされるサイドである。ＨＰ社のLightScribe技術によりＣＤ及びＤＶＤのためのラベルの作成を可能にする。ＨＰ社のLightScribe技術によれば、ディスクはラベルである。LightScribe技術は、白黒写真に類似したグレイスケール画像を作成する。ある者は、彼のデータを消去し、ディスクを裏返し、彼自身の固有のラベルを消去することができる。たとえば、あなたが好みの曲からなる音楽ＣＤを作成し、ａ）曲のタイトル、ｂ）アーティストの名前、ｃ）個人の情報を含むラベルを作成したい場合、はじめに、ディスクのデータサイドにあるトラックを消去する必要がある。次いで、ラベルサイドにわたりディスクを裏返し、ドライブに戻す必要がある。ピクチャ、テキスト及び他のアートワークをインポートすることができるLightScribeがイネーブルにされたラベル作成用ソフトウェアを使用することで、ラベルを消去することができる。あたなが満足したとき、プリントをクリックし、選択されたラベルはディスクのラベルサイドでプリントされる。LightScribeがイネーブルにされたＣＤ／ＤＶＤディスクドライブは、ディスクのラベルサイドにコーティングに電圧を印加するために使用されるレーザを含む。レーザからの光は、ディスクの目に見えるポイントを現すダイコーティングにおける化学変化を生じさせる。レーザの精度により、LightScribeドライブは、ディスクがドライブでスピンするとき、密に制御された光エネルギーをディスク上の多数のポイントに伝達する。これにより、選択されているアートワーク、テキスト又はフォトが再生される。LightScribe  Direct  Disc  Labeling技術は、パーソナルコンピュータの外部のＵＳＢの光ＤＶＤライタで入手可能である。ＨＰ社のLightScribe技術での更なる情報は、http://www.LightScribe.com.で入手可能である。ＨＰ社のLightScribe  Direct  Disc  Labeling技術は、光ディスクに目に見えるラベルを作成する１例であることを述べることは重要である。目に見えるラベルが光ディスクで作成されるのを可能にする類似のラベリングシステムを利用することができる。ヤマハからの１つのかかるレベリングシステムに関する情報は、http://www.yamahamultimedia.com.で入手可能である。
【０００３】
ＥＰ０４７５５５８号は、光記録媒体のデータサイドの書込みのために光ビームの電力を較正するキャリブレーション手順を開示している。このキャリブレーション方法は、光のビームの記録強度を制御し、データを記録するために最大の振幅を有するリードバック信号に対応する光のビームの強度を使用する動作を含む。このキャリブレーション手順は、ラベルの書込みには適していない。それは、書き込まれるエリアから反射される信号がブランクエリアからの信号とは必ずしも異ならないためである。これは、従来の読取りを使用したコントラストの評価を禁止する。さらに、このキャリブレーション手順が実行された後、ラベルサイドのテストエリアで書き込まれたパターンが目に見えるようになり、これによってユーザのラベルの品質が低下する。
【発明の開示】
【発明が解決しようとする課題】
【０００４】
本発明の目的は、ラベルが記録されるのを可能にする特別の材料でコートされた光記録キャリアに目に見えるラベルを記録する光電力の較正の方法及び装置を提供することにある。
【課題を解決するための手段】
【０００５】
本発明の目的によれば、光記録媒体のラベルサイドにラベルを記録するために使用される光電力の較正の方法は、光のビームを使用して光記録媒体のデータサイドに、光のビームの異なる電力で記録されるパターンを記録するステップ、光記録媒体のデータサイドに記録されたパターンを読み取るステップ、予め決定された基準を使用して読み取られたパターンから基準となる電力値を取得するステップ、取得された基準の電力値を使用して、光記録媒体のラベルサイドに目に見えるラベルを書き込むための電力を較正するステップを含む。
【０００６】
本発明の第一及び第二の実施の形態では、パターンが記録される光記録媒体は、相変化型の光記録媒体である。これは、光記録媒体の信号記録層における相変化を使用することでパターンが上書きされるという利点を有する。
【０００７】
本発明に係る方法の第一の実施の形態では、基準となる電力値を取得する予め決定された基準は、記録されたパターンの変調の深さに基づいている。さらに、取得された基準となる電力値は、パターンを記録するために使用される光のビームの電力に関する、記録されるパターンの変調の深さにおける所定の変化に基づいている。基準として変調の深さを使用することが本発明に係る方法にとって特に有効であるという理由は、相変化ディスクの変調の深さは、書き込まれたマークの幅に大まかに比例し、LightScribeディスクのコントラストがその幅に比例するためである。したがって、相変化ディスクの変調深さとLightScribeディスクのコントラストの間の直接的な関係が存在し、本発明で利用される。
【０００８】
本発明に係る方法の第二の実施の形態では、基準の電力値を取得するための予め決定された基準は、記録されるパターンの可視度を評価することに基づいている。この可視度は、閾値に基づいて評価されており、この閾値は、記録される特定のパターンが読み取られた信号で目に見えるようになる電力である。
【０００９】
これは、書き込み電力に関して読取り信号のアセスメントを取得するという利点を有する。これより、取得されるキー情報は、光記録媒体の書込み感度の測定値と書き込み電力マージンの推定値である、閾値の書込み電力、及び許容可能な書込みを行うことができるパワーレンジである。
【００１０】
本発明に係る方法の第三の実施の形態では、基準の電力値を取得する予め決定された基準は、書込みされたパターンの手動による視覚的な調査に基づいている。この手動による調査は、人間の視覚システムの近くで現れるラベルを取得することにおける人間の判断を利用する。さらに、パターンが書き込まれる光記録媒体は、光記録媒体のデータサイドでデータを記録する同じレコーダによりラベルを記録することができる特別の材料でコートされる媒体である。
【００１１】
本発明に係る方法の第四の実施の形態では、基準となる電力値を取得する予め決定された基準は、一枚の紙上の目標となるグレイレベルと比較されるパターンのグレイレベルの可視度を評価することに基づいている。このグレイレベルの比較は、グレイレベルのユーザの知覚を捕捉し、ユーザが必要とするものに近いラベルが取得される、という利点を有する。さらに、パターンが書き込まれる光記録媒体は、光記録媒体のデータサイドにデータを記録する同じレコーダによりラベルが記録される特別の材料でコートされる媒体である。
【００１２】
本発明に係る方法の第五の実施の形態では、取得される基準の電力値は、光記録媒体に目に見えるラベルを書き込むため、装置のＥＥＰＲＯＭ（Electrically  Erasable  Programmable  Read  Only  Memory）に記憶される。ＥＥＰＲＯＭは、不揮発性メモリであるので、電力を受けないときでさえデータを保持し、記憶される基準の電力値は、後続するラベリング動作のために再使用することができる。
【００１３】
本発明に係る方法の第六の実施の形態では、取得される基準の電力値は、ネットワークを通してアクセスすることができるデータベースに記憶される。データベースに記憶することは、ユーザが光記録媒体にラベルを記録するのを必要とするときは何時でも、取得される基準の電力値が多数のユーザ又は同じユーザにより利用されるという利点を有する。
【００１４】
本発明に係る方法の第七の実施の形態では、取得される基準の電力値は、パワーメータに記憶される。これは、光記録媒体を使用するのではなく、パワーメータを使用することで、後続のキャリブレーションを実行するという利点を有する。
【００１５】
第八の実施の形態では、本発明に係る装置を使用した光記録媒体に目に見えるラベルを記録する方法が説明される。
【００１６】
光記録媒体のラベルサイドに目に見えるラベルを書き込む装置の第一の実施の形態では、当該装置は、光記録媒体のデータサイドにパターンを記録する光源、記録されるパターンを読み取る読取りヘッド、予め決定された基準を使用して読み取られたパターンを分析するアナライザ、基準の電力値を取得する手段、取得された基準の電力値を記憶する記憶手段、光記録媒体のラベルサイドに目に見えるラベルを記録するとき、基準の電力値を使用して光源の強度を制御するパワーコントローラを有する。
【００１７】
本発明に係る装置の第二の実施の形態では、当該装置は、基準の電力値を記憶するＥＥＰＲＯＭを有する。  
本発明に係る装置の第三の実施の形態では、当該装置は、ネットワークを通してアクセスされた基準の電力値を記憶するデータベースを有する。  
本発明に係る装置の第四の実施の形態では、当該装置は、基準の電力値を記憶するパワーメータを有する。  
本発明のこれらの態様及び他の態様は、以下の説明に記載される実施の形態から、及び添付図面を参照して明らかになるであろう。
【発明を実施するための最良の形態】
【００１８】
図１は、データサイドとラベルサイドを有するディスク状の光記録媒体１１を示す。データサイド１０は、トラック１２を有し、このトラックで、情報を表す記録可能なマークが配列される。トラックは、同心状又は平行である。光記録媒体のフリップサイドは、ラベルサイド１３である。ラベルサイドは、光のビームを使用してラベルが書き込まれるのを可能にする特別の材料でコートされる。かかる光記録媒体の例は、ＣＤ−Ｒ、ＣＤ−ＲＷ、及び、ＤＶＤ＋ＲＷのようなＤＶＤの書込み可能なバージョンである。光のビームを使用してラベルを書き込むのを可能にする特別の材料でコートされた任意のタイプの光記録媒体を使用することができる。１つの係る例は、カード情報キャリアである。例示の目的で、ディスク上の光記録キャリアが使用されるが、他の形状の光記録媒体を使用することもできる。図１ａ，図１ｂ及び図１ｃは、光記録キャリアのラベルサイドで作成される目に見えるラベルの幾つかの例を示す。図１ａは、PHILIPSとして会社のロゴが記録されている光記録媒体１１のラベルサイド１３を示す。図１ｂは、テキスト及び画像の両者が記録されている目に見えるラベルを示す。このラベルは、“Collection  of  pictures-  The  Himalayas  visit”としてのテキストと、山、谷及び川の流れを示すヒマラヤのシーン画像とを有する。図１ｃは、ピーターの写真と合わせたテキストメッセージ“Happy  Birthday”による、光記録媒体のラベルサイドに記録されている目に見えるラベルを示す。
【００１９】
図２は、本発明に係る光記録媒体１１に目に見えるラベルを記録するために使用される装置２１０の第一の実施の形態を示す。装置２１０は、光記録媒体１１を回転する回転ユニットとして機能するスピンドルモータ２０１を有する。モータドライバ２１１及びサーボ処理ユニット２２２は、一定の線形の速度又は一定の角速度を提供するようにスピンドルモータ２０１を制御する。サーボ処理ユニット２２２は、スピンドルモータ２０１の回転を制御する。読取りヘッド２３０は、光記録媒体１１のトラック１２を読み取るために使用される。読取りヘッド２３０は、光源２４０を有する。光源２４０は、データを記録するために光ビーム２６０で光記録媒体１１を照射する。光源２４０は、波長７８０ｎｍ及び光電力３ｍＷを有する、たとえば赤外線レーザダイオードである場合がある。光ビームパワーコントローラ２５０は、光源２４０から生じている光ビーム２６０の電力強度を調節する。光ビーム２６０の電力の強度を制御するため、光ビームパワーコントローラ２５０は、記憶装置２４２に記憶される基準の電力値を使用し、光源２４０に供給される電流の値を変化する。光ビーム２６０は、光ビーム２６０を平行にするコリメータレンズ２７０のような光学素子を有する光学系、及び光記録媒体１１のトラック上の光スポット２９０に光ビームをフォーカスする対物レンズ２８０を通過する。読取りヘッド２３０は、光記録媒体１１に光ビーム２６０をフォーカスするアクチュエータ、並びに、トラックの中央の半径方向において光スポット２９０を粗く位置合わせし、細かく位置合わせするトラッキングアクチュエータ２９９及び位置合わせ手段２７５を更に有する。対物レンズ２８０の位置を変えることで、トラックは、光ビーム２６０により追従される。光記録媒体１１により反射された後、光ビーム２６０は、たとえば４象限検出器といった公知のタイプの検出器２９５により検出され、リード信号のような検出された信号が生成される。この目的のため、ビームスプリッティングキューブ２０５、偏向ビームスプリッティングキューブ又は薄膜が利用される。検出手段２９８は、検出器２９５からの検出された光ビームを変換し、リードバック信号を出力する。アナライザ２５２は、リードバック信号を分析し、基準の電力値を取得する。この基準となる電力値は、記憶装置２４２に記憶される。
【００２０】
本発明の第一及び第二の実施の形態では、テストパターンが記録される光記録媒体は、相変化型の光記録媒体である。結晶相とアモルファス相の間で変化可能な相転換材料を有する記録層は、相変化層として一般に知られている。光信号の記録動作は、このレイヤにおける記録材料が、光ビームの照射状態を変えることでアモルファス相と結晶相の間で可逆的に相において変化し、これにより相変化層に信号が記録されるようなやり方で実行される。記録された信号の再生動作は、相変化層のアモルファス相と結晶相との間の光学特性における違いを検出することで実行され、これにより記録された信号が生成される。かかる相変化層は、書き込み電力レベルと消去電力レベルの間の光ビームの電力を変調することで、情報が記録及び消去されるのを可能にする。
【００２１】
図３は、本発明に係る光記録媒体１１に光ビーム２６０を使用して目に見えるラベルを書き込むためのパワーキャリブレーション方法を示す簡略化されたフローチャートを示す。キャリブレーション方法は、ステップ３０１におけるテストパターンを選択するステップを含む。ステップ３０１で選択されたこのテストパターンは、ステップ３０２で、光ビーム２６０のパワーレベルＰで光記録媒体１１に書き込まれる。次のステップ３０３では、書き込まれたテストパターンは、図２に例示されるように読取りヘッド２３０を使用してリードバックされる。ステップ３０４では、リードバック信号は、予め決定された基準を使用して評価される。使用することができる様々な基準及びそれらのそれぞれの利点は、実施の形態で説明される。ステップ３０５で、予め決定された基準が満たされたかを確認するためにチェックが行われる。予め決定された基準が満たされない場合、ステップ３０６で、光ビーム２６０のパワーレベルは、光ビーム制御セクション２５０により量δｐだけ変化され、テストパターンが再び書き込まれ、リードバックされ、リードバック信号が評価される。ステップ３０２、３０３、３０４及び３０５は、予め決定された基準が満足されるまで繰り返される。ステップ３０７では、基準となる電力値が取得され、これは、予め決定された基準が満足されるパワーレベルである。ステップ３０８で、取得された基準となる電力値は、記憶装置２４２に記憶される。使用することができる各種の記憶のメカニズムであって、それらのうちのそれぞれ１つを使用する利点が実施の形態で記載される。ステップ３０９では、記憶装置２４２で記憶される基準となる電力値が使用され、光記録媒体１１にラベルを記録するために必要とされる光ビーム２６０の電力が較正される。
【００２２】
本発明に係る方法の第一の実施の形態では、基準となる電力値を取得するために使用される予め決定された基準は、記録されるテストパターンの変調深さに基づいている。図４は、光記録媒体１１のデータサイドにテストパターンを記録するために使用される光ビーム２６０のパワーレベルに関する、記録されるテストパターン（たとえば０１０１０１０１１）の変調の深さの関係を表す。光ビーム２６０の光のパワーレベルは、水平軸に沿って、ポイントＰからＰ1に増加し、光ビーム２６０の様々なパワーレベルＰ，．．．Ｐ1での選択されたテストパターンが記録される。このパワーレベルの変動は、テストパターンを記録するため、光ビーム２６０の高い電力値Ｐ1からＰに減少する。垂直軸は、光ビーム２６０の特定のパワーレベルで書き込まれたパターンの変調の深さの示唆を与える。書き込まれたパターンの変調の深さＭは、図４ａに示されるように計算される。書き込まれたテストパターンは、リードバックされ、リードバック信号は、アナライザ２５２により分析される。アナライザ２５２は、書き込まれたパターンの変調の深さ、パターンを書込むために使用される光ビーム２６０の電力、及び書き込まれたパターンの可視レベルを分析する。書き込まれたパターンの可視レベル（すなわちリードバックされた信号の可視レベル）は、リードバック信号が同じ記録されたテストパターン（すなわち０１０１０１０１１）を含む読み取られた電力値のレンジである。変調の深さは、リードバック信号の可視レベル及び変調深さに対応する書込みパワーレベルと比較される。変調の深さと、リードバック信号の可視レベルに一致する対応する書込み電力からなるレンジ４０１が決定され、これは、基準となる電力値を与える。変調の深さ及び対応する光ビーム２６０の電力によってリードバック信号を目に見ることができるレンジ４０１に対応する光ビーム２６０の電力を使用することは、光記録媒体１１へのパターンの正確な記録を保証するために重要である。書き込まれたパターンの変調の深さによってリードバック信号の良好な可視レベルが得られる光ビーム２６０のパワーレベルは、この基準となる電力値を決定する。光ビーム２６０のこの基準となる電力値を使用してパターンが記録されるとき、良好に目に見ることができるラベルが得られる。
【００２３】
本発明に係る方法の第二の実施の形態では、基準となる電力値を取得するための予め決定された基準は、光記録媒体１１のデータサイドに書き込まれたテストパターン（すなわち０１０１０１０１１）のリードバック信号の可視度を評価することに基づいている。図５は、テストパターンを読み取るために使用される光ビーム２６０のパワーレベルに関する、書き込まれたテストパターンのリードバック信号の可視度の関係を表す。光ビーム２６０の光パワーレベルは、水平軸に沿ってＰからＰ1に増加し、光ビーム２６０の様々なパワーレベルＰ，．．．Ｐ1で選択されたテストパターンが記録される。このパワーレベルの変動は、テストパターンを記録するために光ビーム２６０の高い電力値Ｐ1からＰに減少する。垂直軸は、光ビーム２６０の特定の光レベルでのリードバック信号で書き込まれるテストパターンの可視度の強度Ｖ，．．Ｖ1の示唆を与える。アナライザ２５２は、可視度を評価するためにリードバック信号を分析する。リードバックされた信号の可視レベルは、リードバック信号が同じ記録されたテストパターン（すなわち０１０１０１０１１）を含む読み取られた電力値のレンジである。書き込まれたパターンのリードバック信号の可視度が、閾値５０１よりも大きい光ビーム２６０のパワーレンジ５０２は、基準となる電力値を決定する。閾値５０１は、書き込まれた特定のテストパターンがリードアウト信号において目に見えるようになるパワーレベルである。リードバック信号の良好な可視度が得られるリードバック信号に対応する光ビーム２６０の電力を使用することは、光記録媒体１１へのパターンの正確な記録を保証することが重要である。この光ビーム２６０の基準となる電力値を使用してパターンが記録されるとき、リードバック信号における良好な可視度が得られ、記録されるラベルは良好な品質となる。閾値の基準は、非常に正確な基準である。これは、スポットの形式に依存せず、相変化層の組成にのみ依存するため、関連される基準の電力を非常に高い精度で決定することができるからである。
【００２４】
本発明の第三及び第四の実施の形態では、テストパターンが書き込まれる光記録媒体は、LightScribeディスクである。LightScribeディスクは、ラベルサイドにラベルが記録される特別の材料でコートされている。さらに、ラベルが記録されるのを可能にする特別の材料でコートされる任意のディスクを使用することもできる。相変化タイプからなるLightScribeディスクであって、相変化を使用してパターンが書き込まれるデータサイドを有するLightScribeディスクを使用することも可能である。
【００２５】
本発明に係る方法の第三の実施の形態では、基準となる電力値を取得する予め決定された基準は、書き込まれたテストパターンの手動により調査に基づいている。図６は、テストパターンを記録するために使用される光ビーム２６０のパワーレベルに関する、人間の目で見たときのLightScribeディスクのラベルサイドに書き込まれるテストパターンの可視度の関係を表す。光ビーム２６０の光パワーレベルは、水平軸に沿ってポイントＰからＰ1に増加し、光ビーム２６０の様々なパワーレベルＰ，．．．Ｐ1で選択されたテストパターンが記録される。このパワーレベルの変動は、テストパターンを記録するために光ビーム２６０の高い電力値Ｐ1からＰに減少する。垂直軸は、人間の目で見たとき、書き込まれたテストパターンの可視レベルＶ，．．Ｖ1の示唆を与える。パワーレベルＰで書き込まれたテストパターンは、リードバックされ、表示ユニット７２で表示される。表示されたテストパターンは、人間の目による可視度について評価される。表示されるテストパターンの可視度が良好であって、人間の目により許容されるレンジに対応する光ビーム２６０のパワーレンジ６０１を使用することは、光記録媒体１１へのパターンの正確な記録を保証するために重要である。表示ユニット７２で見たとき、書き込まれるテストパターンが目に見えるものであって、人間に目にとって許容可能である光ビーム２６０のパワーレベルは、基準となる電力値を決定する。この基準となる電力値は、光記録媒体１１へのパターンの正確な記録を保証する光ビーム２６０の記録光パワーレベルを提供する。すなわち、人間の目で見たとき、書き込まれたテストパターンの可視度のレベルは、光記録媒体１１にパターンを記録するために光ビーム２６０により必要とされる電力の関数である。この光ビーム２６０の基準の電力値を使用してパターンが記録されるとき、良好な目に見えるラベルとなる。
【００２６】
本発明に係る方法の第四の実施の形態では、基準となる電力値を取得する予め決定された基準は、LightScribeディスクのラベルサイドに書き込まれたテストパターンのグレイレベルの手動による調査に基づく。ワイドレンジのグレイレベルを有する画像は、高いコントラストを有する。コントラストの定性的な測度は、画像のグレイレベルの標準偏差である。ここで、光記録キャリア１１に書き込まれるテストパターンの手動による調査は、光記録媒体１１に書き込まれるテストパターンのグレイレベルを一枚の紙上で利用可能な目標となるグレイレベルの値と比較することで実行される。図７は、テストパターンを記録するために使用される光ビーム２６０の電力に関する、書き込まれるテストパターンのグレイレベルの可視度の関係を表す。光ビーム２６０の光パワーレベルは、水平軸に沿ってポイントＰからＰ1に増加し、光ビーム２６０の様々な電力レベルＰ，．．Ｐ1で選択されたテストパターンが記録される。このパワーレベルの変動は、テストパターンを記録するために光ビーム２６０の高い電力値Ｐ1からＰに減少する。垂直軸は、光ビーム２６０の特定のパワーレベルで書き込まれたテストパターンのグレイレベルの可視度Ｖ，．．Ｖ1の示唆を与える。パワーレベルＰで書き込まれたテストパターンは、リードバックされ、表示装置７２で表示される。この表示装置７２で表示されたテストパターンは、人間の目によりグレイレベルについて評価される。人間の目は、表示装置７２で表示される書き込まれたテストパターンのグレイレベルを見て、一枚の紙７４で利用可能なテストパターンのグレイレベルとそれを比較する。人間の目は、表示装置７２で表示されるグレイレベルが一枚の紙７４上のグレイレベルと同じであるかをチェックする。一枚の紙上のグレイレベルと比較したときに、表示されるパターンのグレイレベルの接近した一致を与えるパワーレンジ７０１は、テストパターンを記録するために使用される光ビーム２６０の基準となる電力値を決定する。書き込まれたパターンのグレイレベルが一枚の紙７４のグレイレベルと比較して一致するポイントに対応する光ビーム２６０の電力を使用することは、光記録媒体１１へのパターンの正確な記録を保証するために重要である。書き込まれたテストパターンのグレイレベルの可視度が一枚の紙７４のグレイレベルと整合する光ビーム２６０のパワーレベルは、この基準となる電力値を決定する。
【００２７】
更なる実施の形態では、基準の電力値を記憶するために使用される様々な記憶メカニズム及び目に見えるラベルを記録するために使用される装置の実施の形態が記載される。
【００２８】
本発明の方法の第一の実施の形態及び図８に示される装置の第二の実施の形態では、先の実施の形態で記載されるような予め決定された基準を使用して取得された基準の電力値を記憶するために使用される記憶装置は、光記録媒体１１との間の読取り及び書込みのために使用される装置２１０のＥＥＰＲＯＭ（Electrically  Erasable  Programmable  Read  Only  Memory）２４３である。光ビームパワーコントローラ２５０は、ラベルを書き込むために光源２４０により発生される光ビーム２６０の強度を制御するためにＥＥＰＲＯＭに記憶される基準となる電力値を利用する。さらに、ＥＥＰＲＯＭは不揮発性メモリであるので、基準となる電力値は、光記録媒体との間の読取り及び／又は書込みのための装置がスイッチオフにされるときでさえ保持され、したがって、後続するラベリング動作のために使用することができる。
【００２９】
本発明の方法の第六の実施の形態、及び図９に示される装置の第三の実施の形態では、先の実施の形態で記載されたような予め決定された基準を使用して得られた基準となる電力値を記憶するために使用される記憶装置は、データベース２４４である。光記録媒体１１の間で読取り及び書込みのために使用される装置２１０は、このデータベース２４４にネットワーク又はインターネット２５２を通して接続される。装置２１０は、ネットワーク２５２を通してデータベース２４４と通信し、データベース２４４から基準となる電力値を取得する。データベース２４４から取得されたこの基準となる電力値は、ラベルを書き込むために光ビーム２６０の強度を制御するため、光ビームパワーコントローラ２５０により使用される。このデータベースは、多数のユーザ又は同じユーザによりアクセスされ、基準となる電力値は、目に見えるラベルの記録のために使用される。
【００３０】
本発明の方法の第七の実施の形態、及び図１０で示される装置の第四の実施の形態では、先の実施の形態で記載されたような予め決定された基準を使用した基準となる電力値を記憶するために使用される記憶装置は、パワーメータ２６２である。光記録媒体１１の間の読取り及び書込みのために使用される装置２１０は、ネットワーク又はインターネット２５２を通してパワーメータ２６２に接続される。装置２１０は、ネットワーク２５２を通してパワーメータ２６２と通信し、パワーメータ２６２から基準となる電力値を取得する。このパワーメータ２６２から取得された基準となる電力値は、光ビームパワーコントローラにより使用され、ラベルを書き込むために光ビーム２６０の強度が制御される。代替的に、パワーメータ２６２は、ネットワーク２５２を通して接続される代わりに、光記録媒体１１の間でラベルの読取り及び書込みのために使用される装置２１０内に収容される。基準となる電力はパワーメータに記憶されるので、後続するキャリブレーションは、光記録媒体を使用するよりはむしろ、パワーメータを使用することで実行される。
【００３１】
さらに、装置２１０の光ビームパワーコントローラ２５０は、記憶装置に記憶される較正された電力値を使用して、光記録媒体のラベルサイドにラベルを記録するために光ビーム２６０の強度を制御する。記憶されている較正された基準となる電力値は、良好なラベルが得られるように、許容される書込みが実行されるパワーレンジを与える。
【００３２】
上述された出願では、本発明はその特定の実施の形態を参照して記載された。しかし、特許請求の範囲で述べるように本発明の広い精神及び範囲から逸脱することなしに様々な変更及び変形が行われることは明らかである。図面はこれに応じて、限定的な意味で使用されるよりは例示的な意味で考えられる。
【図面の簡単な説明】
【００３３】
【図１】光のビームを使用して目に見えるラベルを書き込むことができる光記録媒体を示す図である。
【図２】本発明に係る光記録媒体に目に見えるラベルを記録するために使用される装置の第一の実施の形態を示す図である。
【図３】本発明に係る光のビームを使用して目に見えるラベルを書き込むためのパワーキャリブレーション方法を示す簡略されたフローチャートである。
【図４】図４及び図４ａは、本発明に係る方法の第一の実施の形態を示し、基準となる電力値を取得する予め決定された基準は、記録されるパターンの変調の深さに基づいている。
【図５】本発明に係る方法の第二の実施の形態を示し、基準となる電力値を取得する予め決定された基準は、記録されるパターンの読取り信号の可視度を評価することに基づいている。
【図６】本発明に係る方法の第三の実施の形態を示し、基準となる電力値を取得する予め決定された基準は、記録されるパターンの手動的な視覚による調査に基づいている。
【図７】本発明に係る方法の第四の実施の形態を示し、基準となる電力値を取得する予め決定された基準は、一枚の紙上の目標となるグレイレベルに比較されるパターンのグレイレベルの可視度の評価に基づいている。
【図８】本発明に係る方法の第五の実施の形態及び装置の第二の実施の形態を示し、取得された基準の電力値は、光記録媒体に目に見えるラベルを書き込むために装置のＥＥＰＲＯＭに記憶される。
【図９】本発明に係る方法の第六の実施の形態及び装置の第三の実施の形態を示し、取得された基準となる電力値は、ネットワークを通してアクセスされるデータベースに記憶される。
【図１０】本発明に係る方法の第七の実施の形態及び装置の第四の実施の形態を示し、取得された基準の電力値は、パワーメータに記憶される。
【国際調査報告】
2008544432.tif 000016
2008544432.tif 000017
2008544432.tif 000018
2008544432.tif 000019
2008544432.tif 000020